(57)【要約】【課題】復水量に応じて複数のオリフィスを切り換えることのできる小型で安価なオリフィス式スチームトラップを提供する。【解決手段】入口１と円筒状フィルタ４の内周側を連通し、外周側を出口２と連通する。フィルタ４の外周に、複数のオリフィス５，６を設けたオリフィス部材７を配置する。オリフィス部材７とフィルタ４の間にオリフィス切換部材８を取り付ける。切換部材８の上部にオリフィス切換位置表示部材を取り付ける。オリフィス切換部材８を斜め方向へ上下動させることによって、入口１と出口２を連通するオリフィスを、小径オリフィス５のみとしたり、あるいは、小径オリフィス５と大径オリフィス６の両方へと切り換えることができる。【選択図】            図１
2004218723.tif 000002
【特許請求の範囲】
【請求項１】
入口と出口の間にオリフィスを配置して、排出する復水量に応じて当該オリフィスの小径オリフィスと大径オリフィスを切り換えるものにおいて、入口と出口を連通する円筒状のフィルタを取り付け、当該フィルタの外周に開口面積の異なる複数のオリフィスを配置して、当該複数のオリフィスとフィルタの間を連通遮断して複数のオリフィスを切り換えるオリフィス切換部材を設けると共に、当該オリフィス切換部材の切換位置を表示するオリフィス切換位置表示部材を取り付けたことを特徴とするオリフィス式スチームトラップ。
【発明の詳細な説明】
【０００１】
【発明の属する技術分野】
本発明は、蒸気輸送管や蒸気使用機器等で発生する蒸気の凝縮した復水を、比較的小さな径のオリフィスから自動的に外部へ排出するオリフィス式スチームトラップに関し、特に、排出すべき復水量に応じて小径オリフィスと大径オリフィスを切り換えるものに関する。
【０００２】
【従来の技術】
【特許文献１】特許第２７０９５４５号公報
これに開示されたのは、球形オリフィス部材に小径オリフィスと大径オリフィスを開口し、この球形オリフィス部材を回転駆動して切り換える駆動手段を連結すると共に、入口の上流側の液位を検出する液位検出手段を設けて、この液位検出手段の検出液位に応じて小径オリフィスと大径オリフィスを切り換えるものである。
【０００３】
【発明が解決しようとする課題】
上記従来のオリフィス式スチームトラップでは、発生した復水量に応じて小径オリフィスと大径オリフィスを切り換えることによって、発生した復水を滞留することなく外部へ排出することができるが、球形オリフィス部材を回転駆動するための駆動手段、及び、上流側の液位を検出するための液位検出手段を必要として、スチームトラップが大型化し且つ高価なものとなってしまう問題があった。
【０００４】
従って本発明の課題は、小型で安価なオリフィス式スチームトラップを提供することである。
【０００５】
【課題を解決するための手段】
上記の課題を解決するために講じた本発明の手段は、入口と出口の間にオリフィスを配置して、排出する復水量に応じて当該オリフィスの小径オリフィスと大径オリフィスを切り換えるものにおいて、入口と出口を連通する円筒状のフィルタを取り付け、当該フィルタの外周に開口面積の異なる複数のオリフィスを配置して、当該複数のオリフィスとフィルタの間を連通遮断して複数のオリフィスを切り換えるオリフィス切換部材を設けると共に、当該オリフィス切換部材の切換位置を表示するオリフィス切換位置表示部材を取り付けたものである。
【０００６】
【発明の実施の形態】
入口と出口を連通するフィルタの外周に複数のオリフィスを配置すると共に、フィルタと複数のオリフィスの間にこの複数のオリフィスを切り換えるオリフィス切換部材を設けたことによって、発生する復水量に応じてオリフィス切換部材を切り換えることにより、復水を滞留することなく外部へ排出することができる。
【０００７】
【実施例】
図１において、入口１と出口２を設けたトラップケーシング３と、多数の貫通孔を有して異物を捕捉するフィルタ４と、小径オリフィス５及び大径オリフィス６を設けたオリフィス部材７と、略円筒状のオリフィス切換部材８、及び、オリフィス切換位置表示部材１３とでオリフィス式スチームトラップを構成する。
【０００８】
トラップケーシング３に設けた入口１と出口２は、ほぼ同一軸上に配置すると共に、円筒状のフィルタ４の内周側を入口１と連通し、外周側を出口２と連通する。フィルタ４は、金属製の漉し網を積層したり、多数の貫通孔を有する発泡金属等で形成する。
【０００９】
フィルタ４の外周に円筒籠状のオリフィス部材７を配置する。オリフィス部材７と円筒状フィルタ４の外周部との接合部９は、溶接やかしめ等によって一体に形成する。オリフィス部材７には、その円筒側面部の入口１側に２個の小径オリフィス５を、その斜め下方に同じく２個の大径オリフィス６を設けて、フィルタ４を介して入口１と出口２を連通する。但し、図１に示す状態は小径オリフィス５のみが入口１と出口２を連通しており、大径オリフィス６はオリフィス切換部材８の上端部１０によって遮断されている状態を示す。
【００１０】
フィルタ４とオリフィス部材７の間に略円筒状のオリフィス切換部材８を配置する。オリフィス切換部材８の上端部１０の外周は、オリフィス部材７の円筒部内周よりも僅かに小さくすることによって摺動自在とする。また、オリフィス切換部材８の上方中心部に円柱孔１１を形成すると共に、下方外周部にネジ部１２を形成する。円柱孔１１には円筒状フィルタ４をはめ込み、ネジ部１２を回転することによってオリフィス切換部材８がトラップケーシング３に対して斜め方向に上下することによって、上端部１０がフィルタ４とオリフィス部材７の間を斜め方向に上下動する。
【００１１】
オリフィス切換位置表示部材１３をトラップケーシング３へネジ１４によって取り付ける。オリフィス切換位置表示部材１３は、プレート１５の上部にトラップから排出する復水量（Ｋｇ／Ｈ）を縦軸に、トラップ入口１側と出口２側の圧力差（ΔＰ：Ｋｇ／ｃｍ２）を横軸にとった流量グラフ１６を記載し、また、プレート１５の下部にはオリフィス切換部材８の端面１８の移動位置を示す目盛り１７を記載する。
【００１２】
流量グラフ１６は、オリフィス式スチームトラップの差圧と排出すべき復水量が判れば小径オリフィス５を選択すべきか、あるいは、大径オリフィス６を選択すべきかが判明し、また、目盛り１７は、オリフィス切換部材８をどの位置まで回転移動すれば、小径オリフィス５あるいは大径オリフィス６を連通することができるのかが判明するものである。
【００１３】
図１に示す状態は、小径オリフィス５のみが入口１と出口２を連通しており、従って、オリフィス切換部材８の端面１８が目盛り１７の「小」へ位置するものである。
【００１４】
入口１から流入してきた復水は、フィルタ４の内周側から外周側へと至る間にゴミや錆等の異物を捕捉され、更に小径オリフィス５から出口２へと流下する。多量の復水が流入してくる場合は、オリフィス切換部材８のネジ部１２を回転して切換部材８を斜め下方へ移動させ、その端面１８が目盛り１７の「大」へ位置することによって、大径オリフィス６も連通してより多くの復水を出口２側へ排出することができる。
【００１５】
このようにネジ部１２を正逆回転させることにより、連通するオリフィスを小径オリフィス５のみとしたり、あるいは、小径オリフィス５と大径オリフィス６の両方とすることができる。また、オリフィス切換部材８を上端まで移動させると、入口１と出口２の間は遮断される。
【００１６】
本実施例においては、オリフィス部材７に小径オリフィス５と大径オリフィス６を設けた例を示したが、その他の中径オリフィスあるいは極大径オリフィス等を設けることもできる。また、オリフィス個数は２個に限ることはなく、１個でもあるいは２個以上であっても良い。
【００１７】
【発明の効果】
上記のように本発明によるオリフィス式スチームトラップは、円筒状フィルタの外周にオリフィス切換部材を介して複数のオリフィスを設けたことによって、駆動手段や液位検出手段を取り付ける必要もなく、小型で安価なオリフィス式スチームトラップとすることができる。
【００１８】
また、オリフィス切換位置表示部材を取り付けたことにより、復水の発生量が変動する場合でも簡単にオリフィスを切り換えることができ、復水がトラップの入口側に滞留すること、あるいは、オリフィスから蒸気が外部へ漏洩されることを防止することができる。
【図面の簡単な説明】
【図１】本発明のオリフィス式スチームトラップの断面図。
【符号の説明】
１    入口
２    出口
３    トラップケーシング
４    フィルタ
５    小径オリフィス
６    大径オリフィス
７    オリフィス部材
８  オリフィス切換部材
１３  オリフィス切換位置表示部材
１７  目盛り
１８  端面
【図１】
2004218723.tif 000003